(57)【要約】【課題】被検体の撮影部位を画像撮影装置の収容部に確実に固定することができる固定具を提供する。【解決手段】固定具１０は、流体を供給する流体供給部１２と、内部の流体供給空間１４に流体が供給されて膨張する膨張体１１とを有する。膨張体１１の内部の流体供給空間１４に、流体供給部１２から流体を供給して、膨張体１１を膨張させる。膨張により膨張体１１の内側に収容される撮影部位と、膨張体１１の外側に収容される収容部３２とを押圧し、収容部３２において撮影部位を挟むことにより、収容部３２に撮影部位を固定する。【選択図】図１
2008253678.tif 000002
【特許請求の範囲】
【請求項１】
画像撮影装置の収容部に収容される被検体の撮影部位を、前記収容部において固定する固定具であって、
流体を供給する流体供給部と、
内部の流体供給空間に流体が供給されて膨張する膨張体と
を有し、
前記膨張体は、前記流体供給部から前記流体が前記流体供給空間に供給されて膨張することによって前記撮影部位を押圧し、前記収容部に前記撮影部位を固定する固定具。
【請求項２】
前記膨張体は、前記撮影部位と前記収容部との間に配置される
請求項１に記載の固定具。
【請求項３】
前記膨張体を支持するフレーム
を有する
請求項１又は２に記載の固定具。
【請求項４】
前記フレームを前記画像撮影装置に取り付ける取付部
を有する
請求項３に記載の固定具。
【請求項５】
前記フレームが前記画像撮影装置に取り付けられた状態で、前記フレームと前記収容部との距離を調整する位置調整手段
を有する
請求項４に記載の固定具。
【請求項６】
前記膨張体は、前記撮影部位に面して配置された状態で、前記流体供給部から前記流体が前記流体供給空間へ供給されて膨張することによって、前記撮影部位が配置される側へ突き出る第１突出部
を有する
請求項１〜５のいずれか一項に記載の固定具。
【請求項７】
前記膨張体は、前記収容部に面して配置された状態で、前記流体供給部から前記流体供給空間へ前記流体が供給されて膨張することによって、前記収容部が配置される側へ突き出る第２突出部
を有する
請求項１〜６のいずれか一項に記載の固定具。
【請求項８】
前記膨張体が前記撮影部位を押圧する状態で、前記撮影部位が露出される開口部が形成される
請求項１〜７のいずれか一項に記載の固定具。
【請求項９】
前記膨張体は、前記収容部に収容された前記撮影部位を押圧する状態で、前記流体供給空間の大きさが、前記撮影部位から離れる方向において、第１の大きさである第１の部分と前記第１の部分の大きさより小さい第２の部分とを有し、前記第２の部分は前記撮影部位の重心下部に配置される
請求項１〜８のいずれか一項に記載の固定具。
【請求項１０】
前記膨張体は、伸縮性を有する材料によって形成される
請求項１〜９のいずれか一項に記載の固定具。
【請求項１１】
前記流体供給部は、前記流体として空気を供給する
請求項１〜１０のいずれか一項に記載の固定具。
【請求項１２】
前記膨張体は、前記流体供給部から前記流体が前記流体供給空間に供給される供給口
を有し、
前記供給口が前記膨張体の中心になるように配置される
請求項１〜１１のいずれか一項に記載の固定具。
【請求項１３】
前記撮影部位が人体の頭部である
請求項１〜１２のいずれか一項に記載の固定具。
【発明の詳細な説明】
【技術分野】
【０００１】
本発明は、ＭＲ装置又はＣＴ装置などの画像撮影装置の収容部に被検体の撮影部位を固定する固定具に関する。特に、流体が供給されて膨張する膨張体を用いた固定具に関する。
【背景技術】
【０００２】
被検体の画像を撮影するために、ＣＴ装置やＭＲ装置などの画像撮影装置が用いられる。これらの画像撮影装置では、撮影時に撮影部位が体動すると体動アーチファクトが生じて鮮明な画像を得ることができない。そのため、画像撮影装置の収容部に被検体の撮影部位を確実に固定することが必要である。
【０００３】
従来は、例えば、ＭＲ装置に撮影部位として人間の頭部を固定する場合には、収容部であるヘッドレストに取り付けられたベルトを頭部に巻きつけ、このベルトを交差して、マジックテープ（登録商標）のような固定部材で止めることにより、頭部をヘッドレストに固定していた。また、ベルトと併用して若しくはベルトに代えて、小さなパッドを顔とヘッドレストとの間に挟み込むことにより、頭部をヘッドレストに固定していた。
【０００４】
画像撮影装置への頭部の固定に関しては、特許文献１に、ベースシェルの内側にエアマットを装着し、このエアマット上に被検体の頭部を載せて額部を頭部固定手段により固定する頭部固定器が開示されている。
特許文献２には、非金属製のマット、額部固定手段及び顎部固定手段とから構成され、マットの底部、額部固定手段の額当接部及び顎部固定手段の顎当接部にウレタンフォームからなるパッドが設けられた固定具が開示されている。
【特許文献１】実開平７−３０７号公報
【特許文献２】特開２０００−１１６６４５号公報
【発明の開示】
【発明が解決しようとする課題】
【０００５】
しかし、従来の固定では、頭部に巻きつけたベルトを交差して固定部材により固定しているだけであり、又はパッドを挟み込んでいるだけであるので、保持力が十分でなかった。
また、特許文献１に記載の頭部固定器及び特許文献２に記載の固定具でも、固定手段の保持力が十分でないという問題があった。
【０００６】
そこで、本発明では、被検体の撮影部位を画像撮影装置の収容部に確実に固定することができる固定具を提供することを課題とする。
【課題を解決するための手段】
【０００７】
本発明によれば、画像撮影装置の収容部に収容される被検体の撮影部位を、前記収容部において固定する固定具であって、流体を供給する流体供給部と、内部の流体供給空間に流体が供給されて膨張する膨張体とを有し、前記膨張体は、前記流体供給部から前記流体が前記流体供給空間に供給されて膨張することによって前記撮影部位を押圧し、前記収容部に前記撮影部位を固定する固定具が提供される。
【０００８】
好ましくは、前記膨張体は、前記撮影部位と前記収容部との間に配置される。
【０００９】
好ましくは、本発明の固定具は、前記膨張体を支持するフレームを有する。
好ましくは、本発明の固定具は、前記フレームを前記画像撮影装置に取り付ける取付部を有する。
好ましくは、本発明の固定具は、前記フレームが前記画像撮影装置に取り付けられた状態で、前記フレームと前記収容部との距離を調整する位置調整手段を有する。
【００１０】
好ましくは、前記膨張体は、前記撮影部位に面して配置された状態で、前記流体供給部から前記流体が前記流体供給空間へ供給されて膨張することによって、前記撮影部位が配置される側へ突き出る第１突出部を有する。
好ましくは、前記膨張体は、前記収容部に面して配置された状態で、前記流体供給部から前記流体が前記流体供給空間へ供給されて膨張することによって、前記収容部が配置される側へ突き出る第２突出部有する。
【００１１】
好ましくは、本発明の固定具には、前記膨張体が前記撮影部位を押圧する状態で、前記撮影部位が露出される開口部が形成される。
【００１２】
好ましくは、前記膨張体は、前記収容部に収容された前記撮影部位を押圧する状態において、前記流体供給空間の大きさが、前記撮影部位から離れる方向において、第１の大きさである第１の部分と前記第１の部分の大きさより小さい第２の部分とを有し、前記第２の部分が前記撮影部位の重心下部とされる。
【００１３】
好ましくは、前記膨張体は、伸縮性を有する材料によって形成される。
好ましくは、前記流体供給部は、前記流体として空気を供給する。
好ましくは、前記膨張体は、前記流体供給部から前記流体が前記流体供給空間に供給される供給口を有し、前記供給口が前記膨張体の中心になるように配置される。
【００１４】
好ましくは、本発明の固定具では、前記撮影部位が人体の頭部である。
【発明の効果】
【００１５】
本発明においては、流体供給部から流体を供給し、内部の流体供給空間に流体を供給して膨張体を膨張させることによって、撮影部位を押圧して収容部に固定する構成としたので、撮影部位は収容部で膨張体に挟まれる。これにより、撮影部位を収容部に確実に固定することができる。
【発明を実施するための最良の形態】
【００１６】
以下、本発明の固定具の好適な実施の形態について添付図面を参照して述べる。なお、本発明の一例として画像撮影装置をＭＲ装置、被検体の撮影部位を人体の頭部、膨張体に供給する流体を空気として説明するが、本発明はこれに限定されない。
【００１７】
＜第１実施の形態＞
図１（Ａ）、（Ｂ）を参照して、本発明の第１実施の形態である固定具１０について述べる。図１（Ａ）は、固定具１０の正面図である。図１（Ｂ）は、図１（Ａ）のＡ視断面図である。図１（Ａ）、（Ｂ）では、説明のためにＡ視断面以外にも部分的に膨張体１１の断面を示す。また、図１（Ａ）、（Ｂ）には、固定具１０の位置関係を明確にするために対応するＸ、Ｙ、Ｚ方向を示す。なお、図１（Ａ）、図１（Ｂ）における複数の同一部材又は部分については、一部の部材等にのみ符号を付し、他の部材等の符号を省略する。以下、図１（Ａ）、（Ｂ）の紙面上下方向を固定具１０の上下方向として説明する。
【００１８】
図１（Ａ）のとおり、固定具１０は、膨張体１１及び流体供給部１２を有する。なお、固定具１０を装着した頭部を固定するＭＲ装置のヘッドレスト３２が破線で示されている。
【００１９】
（膨張体１１）
膨張体１１は、頭部を収容する略半球状の空間１３を内側に有する形状である。膨張体１１は、内部の流体供給空間に流体が供給されて膨張する中空の部材であり、内部に一体の中空部１４を有している。膨張体１１は、環状部材１５、複数の円弧部材１６、円弧部材１６の結合部１７、及び中空部１４への流体の供給口１８を有する。
【００２０】
環状部材１５は、頭部の周囲を囲む大きさで円形の環状に形成された中空の部材である。例えば、環状部材１５は、図１（Ｂ）に示すように断面が矩形であり、内部に矩形の中空部１４を有する。
【００２１】
環状部材１５は、膨張体１１の外側に配置されるヘッドレスト３２と接触する位置に２つの第２突出部１９を有する。第２突出部１９は、流体供給部１２から空気が中空部１４へ供給されて膨張体１１が膨張することで、ヘッドレスト３２が配置される側（外側）へ突き出て、ヘッドレスト３２と確実に接触する部分である。そのため、ヘッドレスト３２に膨張体１１を固定するために効果的な箇所、例えば本発明の第１実施の形態のように、環状部材１５の両側面に設けられる。
第２突出部１９の突出量は、好ましくは５ｍｍ〜１０ｍｍである。これによれば、第２突出部１９でヘッドレスト３２に膨張体１１を確実に固定するために必要な接触を得ることができる。好ましくは、ヘッドレスト３２における第２突出部１９が配置される位置に凹部３２ｂを形成する。これによれば、凹部３２ｂに第２突出部１９を合わせることで、より確実に膨張体１１をヘッドレスト３２に固定することができる。
【００２２】
環状部材１５は、中空部１４の径方向の幅が所定の大きさである第１の部分２０と、中空部１４の径方向の幅がこの第１の部分より小さい小幅部２１を有する。小幅部２１は、流体供給空間である中空部１４の大きさが、環状部材１５の内側に配置される頭部から離れる方向である径方向において、第１の部分２０より小さくなっているため、本発明における第２の部分に相当する。小幅部２１は、膨張体１１が膨張した時に頭部が上方に移動することを抑制する部分である。そのため、小幅部２１は、頭部の重心下部に配置されるようにして、膨張体１１に設けられる。
【００２３】
換言すれば、膨張体１１は、頭部をＭＲ装置の収容空間に収容した際に、中空部１４が膨張する膨張量が、この収容空間の周囲へ向かう方向において、上記第１の部分２０の膨張量より小さい第２の部分である小幅部２１を有するように形成される。そして、固定具１０では、小幅部２１は頭部の重心下部に配置される。
【００２４】
円弧部材１６は、長尺部材であり、頭部に沿って配置される大きさで外側に膨らんで円弧状に形成された中空部材である。例えば、円弧部材１６は、環状部材１５と同様に断面が矩形であり、内部に矩形の中空部１４を有する。
【００２５】
円弧部材１６は、膨張体１１の内側の空間１３に配置される頭部と接触する位置に２つの第１突出部２２を有する。第１突出部２２は、流体供給部１２から空気が中空部１４へ供給されて膨張体１１が膨張することで、頭部が配置される側（内側）へ突き出て、頭部と確実に接触する部分である。そのため、頭部を固定するために効果的な箇所、例えば本発明の第１実施の形態のように、こめかみ付近に配置されるようにして、膨張体１１に設けられる。
【００２６】
第１突出部２２の突出量は、好ましくは５ｍｍ〜１０ｍｍである。これによれば、第１突出部２２で頭部を確実に固定するために必要な接触を得ることができる。なお、頭部の大きさの違いに関しては、頭部の下部と膨張体１１との間に後述するインナーを備えることで、第１突出部２２による頭部への接触を調整することができる。
【００２７】
円弧部材１６の一端は、環状部材１５の正面に略均等に配置される。円弧部材１６の他端は、１箇所で結合され、結合部１７を形成する。このように、環状部材１５及び円弧部材１６を組み合わせて膨張体１１が構成されることにより、固定具１０には複数の開口部２３が形成される。開口部２３は、膨張体１１の中空部１４に空気が供給されて、膨張体１１が膨張して頭部を押圧する状態において、頭部が露出される部分である。
【００２８】
環状部材１５及び円弧部材１６の材料には、空気を通さず、形状を変形可能であり、膨張時に生じる応力に耐える物を用いる。例えば、塩化ビニル樹脂などの高分子材料を用いることができるが、好ましくはゴムのように伸縮性を有する材料である。これによれば、中空部１４に空気が供給されない状態で、伸縮性により密着して頭部に固定具１０を装着することができるため、装着が容易である。なお、さらに好ましくは、肌触りの良いシリコンゴムである。
【００２９】
結合部１７は、環状部材１５の中心側方に位置する。結合部１７は、すべての円弧部材１６の他端が結合されて形成されることで、膨張体１１の中心となっている。
【００３０】
供給口１８は、結合部１７の外面に設けられることで、膨張体１１の中心に設けられている。供給口１８以外の箇所では、膨張体１１の中空部１４は密閉されている。
【００３１】
（流体供給部１２）
次に、流体供給部１２について説明する。流体供給部１２は、ポンプ２４と配管２５とを有している。
ポンプ２４は、使用する流体に合った汎用の物を用いることができる。好ましくは、固定具１０の小型化及び取り扱いの良さから小型ポンプである。例えば、手動で操作部２４ａを押すことにより流体が供給される簡易手動ポンプを用いることができる。
配管２５は、ポンプ２４と膨張体１１の供給口１８とを接続する。
【００３２】
図１〜図３を参照して、本発明の第１実施の形態である固定具１０の使用について述べる。図２は、頭部に本発明の第１実施の形態である固定具１０を装着した被検者が、ＭＲ装置３０に横たわっている状態を示す図である。図３は、第１実施の形態である固定具１０の使用の流れを示すフローチャートである。なお、図２には、図１（Ａ）、（Ｂ）と対応するＸ、Ｙ、Ｚ方向を示す。
【００３３】
図２には、ＭＲ装置３０としてヘッドコイル３１及びヘッドレスト３２が図示されている。
【００３４】
ヘッドコイル３１では、撮影部位である頭部が、静磁場が形成された撮影空間内に配置され、頭部のプロトン（ｐｒｏｔｏｎ）におけるスピンの方向を静磁場の方向へ整列させて、プロトンが磁化ベクトルを得た状態にされる。その後、ヘッドコイル３１から共鳴周波数の電磁波を照射することにより、核磁気共鳴現象を発生させてプロトンの磁化ベクトルを変化させる。そして、元の磁化ベクトルに戻るプロトンからの磁気共鳴信号をヘッドコイル３１で受信し、頭部断面画像のデータを得る。ここでは、ヘッドコイル３１は、上下一体型である。
【００３５】
ヘッドレスト３２は、本発明における収容部に相当する。ヘッドレスト３２は、頭部の概ね半分程度の高さであり、頭部の周辺に配置される部分は、頭部に沿った形状となっている。これにより、頭部は、ヘッドレスト３２により下半分程度を囲われて収容される。
【００３６】
図３のフローチャートに沿って、図１及び図２を参照しながら固定具１０の使用の流れを説明する。
（ステップＳ１１）
固定具１０を、ポンプ２４から膨張体１１に空気を供給しない状態で頭部に装着する。膨張体１１の環状部材１５を概ね額部から後頭部を囲むようにして配置し、円弧部材１６を頭部に沿って配置し、結合部１７を頭頂部付近に配置する。頭部をＭＲ装置３０のヘッドレスト３２に後頭部を下側にして収容するため、小幅部２１を後頭部側に配置する。また、第１突出部２２を、例えば、両側のこめかみ付近に配置し、第２突出部１９を、例えば、ヘッドレスト３２の両側面３２ａと接触する位置に配置する。
【００３７】
（ステップＳ１２）
図２のとおり、頭部に固定具１０を装着してＭＲ装置３０に横たわり、頭部をヘッドレスト３２に収容する。これにより、頭部は、ヘッドレスト３２の収容空間に収容され、ヘッドレスト３２と頭部との間に膨張体１１が配置される。
【００３８】
（ステップＳ１３）
流体供給部１２のポンプ２４を作動させ、膨張体１１の中空部１４に空気を供給して膨張体１１を膨張させる。ここで、「膨張」とは、外形の体積が大きくなることであり、膨張体１１の中空部１４に空気が供給されることで、空気が供給される前の状態、例えば中空部１４により膨張体１１が縮んだ状態に比べて外形の体積が大きくなれば、膨張に該当する。
ヘッドレスト３２と頭部との間では、膨張体１１の外面は、ヘッドレスト３２の内面と接触してヘッドレスト３２を押圧する。膨張体１１の内面は、頭部と接触して頭部を押圧する。換言すれば、膨張体１１はヘッドレスト３２の収容空間に頭部を押圧する。これにより、頭部をヘッドレスト３２の内側で膨張体１１により挟むことで、確実に固定する。
【００３９】
（ステップＳ１４）
ＭＲ装置３０で頭部の画像を撮影する。頭部は、固定具１０でヘッドレスト３２に確実に固定されているため、ＭＲ装置３０で頭部の鮮明な画像を得ることができる。なお、ポンプ２４から供給される空気圧を高く調節することで、より確実に頭部を固定することができる。
また、従来のように頭部の固定にバンドを用いないため、バンドの端末を処理する手間がなく、端末が画像撮影装置に挟まるおそれもない。
【００４０】
以上、本発明の第１実施の形態である固定具１０の構成及び使用について説明したが、特に、円弧部材１６が第１突出部２２を有することにより、流体供給部１２から空気が中空部１４へ供給されて膨張体１１が膨張することで、第１突出部２２は頭部側へ突き出るため、頭部と確実に接触する。これにより、頭部を第１突出部２２で確実に固定することができる。そのため、第１突出部２２を、例えばこめかみ付近のように頭部を固定するために効果的な箇所に設けることで、より確実に頭部を固定することができる。
【００４１】
また、環状部材１５が第２突出部１９を有することにより、流体供給部１２から空気が中空部１４へ供給されて膨張体１１が膨張することで、第２突出部１９はヘッドレスト３２側へ突き出るため、ヘッドレスト３２と確実に接触する。これにより、膨張体１１をヘッドレスト３２へ確実に固定することができる。そのため、第２突出部１９を、例えばヘッドレスト３２の両側面３２ａと接触する位置のように、膨張体１１を固定するために効果的な箇所に設けることで、より確実に膨張体１１を固定することができる。
また、ヘッドレスト３２に凹部３２ｂを形成して、第２突出部１９を凹部３２ｂに合わせることで、より確実に膨張体１１をヘッドレスト３２に固定することができる。
【００４２】
固定具１０が開口部２３を有することにより、膨張体１１の中空部１４が小さくなるため、膨張体１１を膨張させる時にポンプ２４から供給が必要な空気量が少なくなる。これにより、ヘッドレスト３２へ頭部を迅速に固定することができる。また、膨張体１１の膨張に必要な空気量が少なくなることで、ポンプ２４を小型にすることが可能である。さらに、開口部２３により、膨張体１１を装着することによる発汗やムレなどによる不快感を軽減するこができる。
【００４３】
膨張体１１が小幅部２１を有し、小幅部２１が頭部の重心下部に配置されることで、頭部の下部における膨張体１１の鉛直方向への膨張が小さくなる。そのため、頭部が上方に移動することが抑制される。これにより、撮影箇所がずれることを防止することができる。
なお、小幅部２１は、中空部１４の径方向の幅が小さいほど好ましく、より好ましくは幅が０である。これによれば、膨張体１１の膨張による頭部の上方への移動をなくすことができる。中空部１４の径方向の幅が０である形態としては、膨張体の内部の流体供給空間をなくす形態、又は膨張体自体を頭部の重心下部に設けない形態などである。
【００４４】
さらに、膨張体１１は、膨張体１１の中心に設けられた供給口１８から中空部１４に空気が供給されることで、均等に膨張することが可能である。
【００４５】
固定具１０においては、膨張体１１の内側に頭部の大きさに応じたインナーを備えることが好ましい。膨張体１１の内側より頭部が小さい場合には、膨張体１１が頭部でずれることにより撮影箇所がずれるおそれがある。複数の大きさの膨張体１１を用意することでも対応できるが、生産や管理が煩雑である。そのため、インナーを備えることで、頭部の大きさに関わらず、同一の膨張体１１を用いながら頭部で膨張体１１がずれないように装着することができる。
また、インナーを用いることによって、第１突出部２２などでの頭部と膨張体１１との接触を調整することができる。
インナーの材料としては、例えば、表皮は耐水性、耐久性、難燃性及び伸縮性を有する布、内部はゴムや軟質樹脂を用いることができる。
【００４６】
なお、固定具は上記形状に限定されず、他の形状とすることが可能である。例えば、膨張体の形状をパッド状とし、頭部の側部において、この膨張体を頭部とヘッドレスト３２との間の一方又は両方に配置することも可能である。
【００４７】
＜第２実施の形態＞
図４を参照して、本発明の第２実施の形態である固定具４０について述べる。図４（Ａ）は、固定具４０の正面図である。図４（Ｂ）は、固定具４０の右側面図である。図４（Ａ）、（Ｂ）では、説明のために部分的に断面を示す。また、図４（Ａ）、（Ｂ）には、固定具４０の位置関係を明確にするために対応するＸ、Ｙ、Ｚ方向を示す。なお、図４（Ａ）、図４（Ｂ）における複数の同一部材又は部分については、一部の部材等にのみ符号を付し、他の部材等の符号を省略する。また、図４において図１と同じ構成である部材については、図１と同一の符号を用いて説明を省略する。以下、図４（Ａ）、（Ｂ）の紙面上下方向を固定具４０の上下方向として説明する。
【００４８】
図４（Ａ）のとおり、固定具４０は、フレーム４１、膨張体４２及び流体供給部１２を有する。
【００４９】
（フレーム４１）
フレーム４１は、頭部を収容する略半球状の空間４３を内側に有する形状である。半球の切断部に相当する部分には、頭部の周囲を囲む大きさの円形の環状フレーム４１ａが配置されている。フレーム４１の略上半分には、頭部の頭頂部付近に配置される中心部４１ｂと環状フレーム４１ａとの間に、頭部に沿って配置される大きさで外側に膨らんだ円弧状の２本の円弧フレーム４１ｃが放射状に形成されている。これにより、フレーム４１の略上半分には開口部が形成されている。フレーム４１の略下半分は、球状フレーム４１ｄにより覆われている。球状フレーム４１ｄの内面には、クッション材４４が取り付けられる。
フレーム４１には、形状を保持し、膨張体４２の膨張時に生じる押圧に耐え得る材料を用いる。例えば、合成樹脂を用いることができる。
【００５０】
（膨張体４２）
膨張体４２は、内部の流体供給空間に流体が供給されて膨張する中空の部材であり、内部に一体の中空部４５を有している。膨張体４２の頭部の頭頂部付近に配置される部分には、流体が中空部４５に供給される供給口（図示省略）が設けられる。膨張体４２の中空部４５は、供給口以外の箇所は密閉されている。
【００５１】
膨張体４２は、一体に形成された膨張体４２ａ〜４２ｃからなり、フレーム４１に支持される。膨張体４２ａは、頭部の周囲を囲む大きさの環状部材を略半円状にした形状であり、環状フレーム４１ａ内面の略上半分に取り付けられる。膨張体４２ｂは、頭部に沿って配置される大きさで外側に膨らんだ円弧状に形成され、円弧フレーム４１ｃの内面に取り付けられる。膨張体４２ｃは、略矩形の平面形状を有し、球状フレーム４１ｄの外面において、長辺がフレーム４１の中心部４１ｂから環状フレーム４１ａに向けて、放射状に取り付けられる。球状フレーム４１ｄの両側面には、それぞれ２つの膨張体４２ｃが取り付けられる。
膨張体４２ａ〜４２ｃは、内部に流体供給空間を有する中空の部材である。
【００５２】
膨張体４２ａ〜４２ｃの材料には、塩化ビニル樹脂などの高分子材料を用いることができるが、好ましくは本発明の第１実施の形態の固定具１０と同様に、ゴムのように伸縮性を有する材料であり、さらに好ましくは、シリコンゴムである。
【００５３】
膨張体４２ｂは、それぞれフレーム４１の内側の空間４３に配置される頭部と接触する位置に第１突出部２２を有する。第１突出部２２は、流体供給部１２から空気が中空部４５へ供給されて膨張体４２が膨張することで、頭部が配置される側（内側）に突き出て、頭部と確実に接触する部分である。そのため、頭部を固定するために効果的な箇所、例えばこめかみ付近に配置されるようにして、膨張体４２ｂに設けられる。
【００５４】
このように、膨張体４２が、フレーム４１に形成された開口部を塞がないように取り付けられることで、固定具４０は複数の開口部４６を有する。開口部４６は、膨張体４２の中空部４５に空気が供給されて、膨張体４２が膨張してフレーム４１の内側の空間４３に配置された頭部を押圧する状態において、頭部が露出される部分である。
【００５５】
（流体供給部１２）
流体供給部１２は、ポンプ２４と配管２５とを有しており、配管２５の一端は、外側からフレーム４１の中心部４１ｂを通って、膨張体４２の供給口に接続される。
配管２５の他端は、ポンプ２４に接続される。ポンプ２４は、例えば、手動で操作部２４ａを押すことにより流体が供給される簡易手動ポンプである。
【００５６】
次に、図３のフローチャートに沿って、図２及び図４を参照しながら固定具４０の使用の流れを説明する。固定具４０の使用については、固定具１０と同様であるため、固定具１０の説明で用いた図２及び図３を用いて説明する。なお、図２及び図４（Ａ）、（Ｂ）のＸ、Ｙ、Ｚ方向は対応する方向を示す。
【００５７】
（ステップＳ１１）
固定具４０を、ポンプ２４から空気を供給しない状態で、図４（Ａ）、（Ｂ）の上側を額側に、下側を後頭部側にして頭部に装着する。膨張体４２ａを額部に、膨張体４２ｂを頭部の頭頂部から額部に配置する。膨張体４２ｂに設けられた第１突出部２２を、例えば、両側のこめかみ付近に配置する。また、クッション材４４により、後頭部側を覆う。これにより、頭部がフレーム４１と接触しないため、固定具４０を装着することによる不快感が軽減される。
なお、頭部が固定具４０の内側よりも小さい場合には、上述した固定具１０と同様に、インナーを用いて、固定具４０を装着することができる。
【００５８】
（ステップＳ１２）
図２のとおり、頭部に固定具４０を装着してＭＲ装置３０に横たわり、頭部をヘッドレスト３２に収容する。これにより、頭部は、ヘッドレスト３２の収容空間に収容され、ヘッドレスト３２と頭部との間に膨張体４２が配置される。
【００５９】
（ステップＳ１３）
流体供給部１２のポンプ２４を作動させ、膨張体４２の中空部４５に空気を供給して膨張体４２を膨張させる。膨張体４２ａ、４２ｂは、頭部と接触して頭部及びフレーム４１を押圧する。換言すれば、膨張体４２は、ヘッドレスト３２の収容空間に頭部を押圧する。これにより、頭部をフレーム４１の内側で膨張体４２ａ、４２ｂとフレーム４１との間に挟むことで、確実に固定する。
膨張体４２ｃは、ヘッドレスト３２の内面と接触してフレーム４１及びヘッドレスト３２を押圧する。これにより、フレーム４１をヘッドレスト３２の内側で膨張体４２ｃにより挟むことで、確実に固定する。
このようにして、頭部をヘッドレスト３２の内側に確実に固定する。なお、膨張体４２ａ、４２ｂが頭部をフレーム４１に押圧することで頭部がヘッドレスト３２に固定されるように、膨張体による撮影部位の押圧には、撮影部位を収容部に押圧するだけでなく、撮影部位を収容部に配置される部材に押圧する場合も含む。
【００６０】
（ステップＳ１４）
ＭＲ装置３０で頭部の画像を撮影する。頭部は、固定具４０でヘッドレスト３２に確実に固定されているため、ＭＲ装置３０で頭部の鮮明な画像を得ることができる。
【００６１】
以上、本発明の第２実施の形態である固定具４０の構成及び使用について説明したが、特に、固定具４０が膨張体４２を支持するフレーム４１を有することで、膨張体４２をヘッドレスト３２から離して配置することが可能である。したがって、膨張体４２を頭部の固定のために効果的な位置に配置することが可能である。例えば、図４に示すように、膨張体４２を頭部の上方に配置し、重力により安定している下側に頭部を押圧することで、頭部の安定した固定が可能である。
【００６２】
また、膨張体４２ｂの第１突出部２２は、流体供給部１２から空気が中空部４５へ供給されて膨張体４２が膨張することで、頭部側へ突き出るため、頭部と確実に接触する。これにより、頭部を第１突出部２２で確実に固定することができる。そのため、第１突出部２２を、例えばこめかみ付近のように頭部を固定するために効果的な箇所に設けることで、より確実に頭部を固定することができる。
【００６３】
固定具４０が開口部４６を有することにより、膨張体４２の中空部４５が小さくなるため、膨張体４２を膨張させる時にポンプ２４から供給が必要な空気量が少なくなる。これにより、ヘッドレスト３２へ頭部を迅速に固定することができる。また、膨張体４２の膨張に必要な空気量が少なくなることで、ポンプ２４を小型にすることが可能である。さらに、開口部４６により、固定具４０を装着することによる発汗やムレなどによる不快感を軽減するこができる。
【００６４】
固定具４０は、フレーム４１に膨張体４２が配置された部分と、膨張体４２が配置されていない部分とを有する。膨張体４２が配置された部分は、膨張体４２の中空部４５の大きさが、フレーム４１の内側に配置された頭部から離れる方向において第１の大きさである、第１の部分である。一方、膨張体４２が配置されていない部分は、膨張体４２の中空部４５の大きさが、頭部から離れる方向において０であり、第１の部分の大きさより小さい第２の部分である。固定具４０では、この第２の部分が頭部の重心下部に配置されている。
【００６５】
換言すれば、固定具４０は、頭部をヘッドレスト３２の収容空間に収容した際に、中空部４５が膨張する膨張量が、この収容空間の周囲へ向かう方向において、上記第１の部分の膨張量より小さい第２の部分を有し、この第２の部分は頭部の重心下部に配置される。
【００６６】
これにより、固定具４０では、膨張体４２の膨張による頭部の上方への移動がないため、膨張体４２の膨張により撮影箇所がずれることを防止することができる。
【００６７】
なお、固定具４０では、フレーム４１の内側及び外側に膨張体４２が取り付けられているが、膨張体４２を内側のみに取り付けることも可能である。例えば、フレーム４１がヘッドレスト３２に合わせた大きさに製造され、ヘッドレスト３２に収容されることで固定される場合には、フレーム４１の外側に膨張体を設ける必要がない。
【００６８】
＜第３実施の形態＞
図５（Ａ）〜図５（Ｃ）を参照して、本発明の第３実施の形態である固定具５０について述べる。図５（Ａ）は、固定具５０がヘッドレスト３２に取り付けられた状態を正面から示す図である。図５（Ｂ）は、固定具５０がヘッドレスト３２に取り付けられた状態を右側面から示す図である。図５（Ｃ）は、図５（Ａ）のＢ視断面図である。図５（Ｂ）では、説明のために部分的に膨張体５２の断面を示す。また、図５（Ａ）〜図５（Ｃ）には、固定具５０の位置関係を明確にするために対応するＸ、Ｙ、Ｚ方向を示す。なお、図５（Ａ）〜図５（Ｃ）において図１と同じ構成である部材については、図１と同一の符号を用いて説明を省略する。以下、図５（Ａ）〜図５（Ｃ）の紙面上下方向を固定具５０の上下方向として説明する。
【００６９】
図５（Ａ）のとおり、固定具５０は、フレーム５１ａ〜５１ｃ、膨張体５２、フレーム５１ａ〜５１ｃの位置調整手段及び流体供給部１２を有する。固定具５０は、ヘッドレスト３２に取り付けられる。
【００７０】
（フレーム５１ａ〜５１ｃ）
フレーム５１ａ〜５１ｃは、それぞれ頭部の頭頂部から周辺部までを覆う、頭部の形状に合わせて丸みを帯びた板状部材である。平面形状は、頭部の頭頂部側から周辺部側に向かって拡大する放射形状となっている。３つのフレーム５１ａ〜５１ｃは、略水平方向に並べて配置されている。
フレーム５１ａ〜５１ｃは、それぞれが頭部の頭頂部側に配置される端部に取付部５３を有しており、取付部５３により、ヘッドレスト３２に収容される頭部の上側に配置されるようにしてヘッドレスト３２に取り付けられる。
【００７１】
（膨張体５２）
膨張体５２は、フレーム５１ａ〜５１ｃの下面に取り付けられる。膨張体５２は、フレーム５１ａ〜５１ｃと同様の形状をした中空の板状部材である。すなわち、膨張体５２は、頭部の頭頂部から周辺部までを覆う、頭部の形状に合わせて丸みを帯びた形状であり、フレーム５１ａ〜５１ｃの間隙に合わせて切れ目を有することで３つの部分に分けられ、これらの部分は頭部の頭頂部側の端部で一体となっている。それぞれの部分の平面形状は、フレーム５１ａ〜５１ｃと同じく、頭部の頭頂部側から周辺部側に向かって拡大する放射形状となっている。
膨張体５２は、内部に流体が供給される流体供給空間である一体の中空部５４を有する。頭部の頭頂部側に配置される端部に、供給口５２ａが設けられる。供給口５２ａは、フレーム５１ｂに形成された孔５１ｂ−１に配置される。膨張体５２の中空部５４は、供給口５２ａ以外の箇所は密閉されている。
【００７２】
膨張体５２は、第１突出部２２を有している。第１突出部２２は、流体供給部１２から空気が中空部５４へ供給されて膨張体５２が膨張することで、頭部が配置される側（下側）に突き出て、頭部と確実に接触する部分である。そのため、頭部を固定するために効果的な箇所、例えばこめかみ付近に配置されるようにして、膨張体５２に設けられる。
【００７３】
膨張体５２の材料は、塩化ビニル樹脂などの高分子材料を用いることができるが、好ましくは本発明の第１実施の形態の固定具１０と同様に、ゴムのように伸縮性を有する材料であり、さらに好ましくは、シリコンゴムである。
【００７４】
（フレーム５１ａ〜５１ｃの位置調整手段）
固定具５０は、フレーム５１ａ〜５１ｃの取付部５３を支点として、フレーム５１ａ〜５１ｃの位置を上下方向に調整する位置調整手段を有する。
図５（Ｃ）を参照して、フレーム５１ａ〜５１ｃの位置調整手段の一例について述べる。
フレーム５１ａ〜５１ｃの位置調整手段には、摺動部材５５、位置調整ダイヤル５６及びヘッドレスト３２に設けられたガイド部５７が用いられる。
【００７５】
摺動部材５５について説明する。
摺動部材５５は、管状の部材であり、長手方向の軸心Ｘ１を中心軸とする。摺動部材５５の内部には、一体の中空部５５ａが形成される。中空部５５ａは、両端のみに開口部を有する。
摺動部材５５の一端は、配管２５の一端と結合される。摺動部材５５の他端は、フレーム５１ｂに形成された孔５１ｂ−１において、膨張体５２の供給口５２ａと結合される。これらの結合部分は、摺動部材５５と配管２５、及び摺動部材５５と膨張体５２のそれぞれの内部空間を連続させ、密閉して結合される。また、摺動部材５５の他端は、フレーム５１ｂに形成された孔５１ｂ−１に、回転可能に結合される。
なお、以下、各部材又は各部材の部分の説明において、摺動部材５５に配管２５が結合される側を配管２５側、膨張体５２が結合される側を膨張体５２側として説明する。
【００７６】
摺動部材５５の配管２５側の端部には、軸心Ｘ１を中心軸とする円筒外面５５ｂが設けられる。ここで、円筒外面とは、外面の形状が円筒の側面形状となっている面である。
摺動部材５５における長手方向（軸心Ｘ１方向）の中間部分には、軸心Ｘ１を中心軸とする円筒外面にネジが形成されたオネジ部５５ｃが設けられている。
摺動部材５５の膨張体５２側の端部付近には、被ガイド部５５ｄが設けられる。被ガイド部５５ｄは、摺動部材５５の表面から外方向に延びた延出部５５ｅと、延出部５５ｅの先端から軸心Ｘ１に対して平行に延びた先端部５５ｆとを有する。ここでは、２つの被ガイド部５５ｄが、軸心Ｘ１に対して互いに反対となる位置に設けられており、先端部５５ｆは、配管２５側に延びている。延出部５５ｅ及び先端部５５ｆの断面は、例えば矩形である。
【００７７】
位置調整ダイヤル５６について説明する。
位置調整ダイヤル５６には、内部に貫通孔５６ａが形成される。貫通孔５６ａは軸心Ｙ１を中心軸とする。貫通孔５６ａには、軸心Ｙ１に摺動部材５５の軸心Ｘ１を一致させて、摺動部材５５が挿入される。
貫通孔５６ａの一端には、軸心Ｙ１を中心軸として円筒内面５６ｂが設けられる。ここで、円筒内面とは、内面の形状が円筒の側面形状となっている面である。円筒内面５６ｂは、径が摺動部材５５の円筒外面５５ｂの径より大きく形成され、貫通孔５６ａに挿入された摺動部材５５の円筒外面５５ｂと対向して、円筒外面５５ｂによって回転可能に支持される。
【００７８】
また、貫通孔５６ａには、膨張体５２側の端部から中央部付近にかけて、軸心Ｙ１を中心とする円筒内面にネジが形成されたメネジ部５６ｃが設けられる。メネジ部５６ｃは、貫通孔５６ａに挿入された摺動部材５５のオネジ部５５ｃと嵌合する。
【００７９】
位置調整ダイヤル５６の膨張体５２側の端部には、外面に後述するガイド部５７の係合部５７ｃが係合する被係合部５６ｄが設けられる。被係合部５６ｄは、軸心Ｙ１を中心軸とする円筒外面を底面とする溝である。
【００８０】
ガイド部５７について説明する。
ガイド部５７は、ヘッドレスト３２において頭部の頭頂部が配置される端部に設けられる。ガイド部５７には、内部に空間５７ａが形成され、空間５７ａに摺動部材５５の被ガイド部５５ｄが配置される。空間５７ａには、被ガイド部５５ｄの先端部５５ｆが挿入されるガイド溝５７ｂが形成される。ガイド溝５７ｂは、挿入された先端部５５ｆとの間に間隙を有する大きさにされ、先端部５５ｆが延びる方向（軸心Ｘ１に平行な方向）に先端部５５ｆより大きく形成される。これにより、先端部５５ｆは、ガイド溝５７ｂを軸心Ｘ１に平行な方向に移動可能となっている。
一方、ガイド溝５７ｂに先端部５５ｆが挿入されることによって、摺動部材５５は、軸心Ｘ１を回転軸とする回転が制限される。
【００８１】
ガイド部５７は、位置調整ダイヤル５６の被係合部５６ｄと係合する係合部５７ｃを有する。係合部５７ｃは、被係合部５６ｄに係合した状態で被係合部５６ｄとの間に間隙を有する大きさに形成される。これにより、位置調整ダイヤル５６は、ガイド部５７に対して軸心Ｙ１を回転軸として回転可能となっている。
【００８２】
ガイド部５７とフレーム５１ａ〜５１ｃとは、取付部５３を支点にして回転可能に結合される。例えば、ガイド部５７及びフレーム５１ａ〜５１ｃを突起と凹部若しくは孔で形成するヒンジで結合することができる。又は、ガイド部５７及びフレーム５１ａ〜５１ｃに孔を形成し、軸を通して結合することができる。この突起又は軸の方向は、取付部５３を支点として、フレーム５１ａ〜５１ｃの平面（上面及び下面）が上下方向に回転するようにして設けられる。
【００８３】
上述したフレーム５１ａ〜５１ｃの位置調整手段における各部材の作動について説明する。
摺動部材５５は、ガイド部５７によって軸心Ｘ１回りの回転が制限されている。また、位置調整ダイヤル５６は、ガイド部５７によって軸心Ｙ１方向への移動が制限されている。ここで、上述したとおり、摺動部材５５の軸心Ｘ１と位置調整ダイヤル５６の軸心Ｙ１とは、一致している。
これにより、位置調整ダイヤル５６を回すことで、摺動部材５５は、オネジ部５５ｃとメネジ部５６ｃとの嵌合により、ガイド部５７のガイド溝５７ｂに沿って矢印Ｚ１のとおり軸心Ｘ１方向へ移動する。
【００８４】
摺動部材５５が矢印Ｚ１方向（軸心Ｘ１方向）へ移動することによって、摺動部材５５と結合したフレーム５１ｂの孔５１ｂ−１部分が矢印Ｚ１方向（軸心Ｘ１方向）に移動する。これにより、フレーム５１ｂは、取付部５３を支点にして矢印Ｚ２の方向に回転するため、フレーム５１ｂは上下方向に移動する。
【００８５】
フレーム５１ａ、５1ｃは、例えば、フレーム５１ｂの孔５１ｂ−１の周辺と結合されることにより、フレーム５１ｂと同様にガイド部５７が取り付けられた取付部５３を支点として、フレーム５１ｂに連動して回転する。これにより、フレーム５１ａ、５1ｃは上下方向に移動する。
このようにして、フレーム５１ａ〜５１ｃが上下方向へ移動することで、フレーム５１ａ〜５１ｃとヘッドレスト３２との距離が調整される。
【００８６】
（流体供給部１２）
流体供給部１２は、ポンプ２４と配管２５とを有しており、配管２５の一端は、上述したとおり、フレーム５１ａ〜５１ｃの位置調整手段に用いられる摺動部材５５に結合される。一方、配管２５の他端は、ポンプ２４に接続される。
【００８７】
次に、図５〜図７を参照して、本発明の第３実施の形態である固定具５０の使用について述べる。図６は、被検者の頭部が固定具５０でヘッドレスト３２に固定された状態を示す図である。図７は、第３実施の形態である固定具５０の使用の流れを示すフローチャートである。図６には、図５（Ａ）〜図５（Ｃ）と対応するＸ、Ｙ、Ｚ方向を示す。なお、図６において図２と同じ構成である部材については、図２と同一の符号を用いて説明を省略する。
【００８８】
以下、図７のフローチャートに沿って、図５（Ａ）〜図５（Ｃ）及び図６を参照しながら固定具５０の使用の流れを説明する。
（ステップＳ２１）
ポンプ２４から膨張体５２に空気を供給しない状態で、上述したように位置調整ダイヤル５６を操作し、頭部が膨張体５２の下部に配置可能な位置にフレーム５１ａ〜５１ｃの位置を調整する。
【００８９】
（ステップＳ２２）
図６のとおり、ＭＲ装置３０に横たわり、頭部を膨張体５２の下部に配置してヘッドレスト３２に収容する。これにより、頭部は、ヘッドレスト３２の収容空間に収容される。
【００９０】
（ステップＳ２３）
位置調整ダイヤル５６を操作して、膨張体５２が頭部に接触する位置にフレーム５１ａ〜５１ｃを調整して、固定具５０を頭部に装着する。
【００９１】
（ステップＳ２４）
流体供給部１２のポンプ２４を作動させ、膨張体５２の中空部５４に空気を供給して膨張体５２を膨張させる。膨張体５２は、頭部と接触して頭部及びフレーム５１ａ〜５１ｃを押圧する。換言すれば、膨張体５２は、ヘッドレスト３２の収容空間に頭部を押圧する。これにより、頭部を膨張体５２とヘッドレスト３２との間に挟むことで、確実に固定する。
【００９２】
（ステップＳ２５）
ＭＲ装置３０で頭部の画像を撮影する。頭部は、固定具５０でヘッドレスト３２に確実に固定されているため、ＭＲ装置３０で頭部の鮮明な画像を得ることができる。
【００９３】
以上、本発明の第３実施の形態である固定具５０の構成及び使用について説明したが、特に、固定具５０が膨張体５２を支持するフレーム５１ａ〜５１ｃを有することで、膨張体５２をヘッドレスト３２から離して配置することが可能である。したがって、膨張体５２を頭部の固定のために効果的な位置に配置することが可能である。例えば、図５に示すように、膨張体５２を頭部の上方に配置し、重力により安定している下側に頭部を押圧することで、頭部の安定した固定が可能である。
【００９４】
そして、フレーム５１ａ〜５１ｃが取付部５３でヘッドレスト３２に取り付けられることにより、フレームのヘッドレスト３２への固定が簡単になるため、固定具５０の構造を簡易化することができる。すなわち、本発明の第２実施の形態における固定具４０のように、フレームをヘッドレストに収容する形状にして、フレームの外面に膨張体を取り付ける構成等にする必要がない。
また、固定具５０がＭＲ装置３０と一体となるため、管理が容易である。
【００９５】
また、固定具５０が、フレーム５１ａ〜５１ｃとヘッドレスト３２との距離を調整する位置調整手段を有することにより、頭部の大きさに関わらず、頭部を膨張体５２の下部に配置して確実に固定することが可能である。
【００９６】
固定具５０では、膨張体５２は第１突出部２２を有している。第１突出部２２は、流体供給部１２から空気が中空部５４へ供給されて膨張体５２が膨張することで、頭部側へ突き出るため、頭部と確実に接触する。これにより、頭部を第１突出部２２で確実に固定することができる。そのため、第１突出部２２を、例えばこめかみ付近のように頭部を固定するために効果的な箇所に設けることで、より確実に頭部を固定することができる。
【００９７】
固定具５０では、頭部の上部に膨張体５２が配置され、他の部分には膨張体５２が配置されていない。膨張体５２が配置された部分は、膨張体５２の中空部５４の大きさが、頭部から離れる方向において第１の大きさである、第１の部分である。一方、膨張体５２が配置されていない部分は、膨張体５２の中空部５４の大きさが、頭部から離れる方向において０であり、第１の部分の大きさより小さい第２の部分である。固定具５０では、この第２の部分は頭部の重心下部に配置されているということができる。
【００９８】
換言すれば、固定具５０は、頭部をヘッドレスト３２の収容空間に収容した際に、中空部５４が膨張する膨張量が、この収容空間の周囲へ向かう方向において、上記第１の部分の膨張量より小さい第２の部分を有し、この第２の部分は頭部の重心下部に配置されている。
【００９９】
これにより、固定具５０では、膨張体５２の膨張による頭部の上方への移動がないため、膨張体５２の膨張により撮影箇所がずれることを防止することができる。
【０１００】
なお、本発明の第３実施の形態である固定具５０を、膨張体が例えばフレーム５１ａ〜５１ｃごとに別となっており、それぞれの膨張体に設けられた供給口に配管を接続する構成とすることも可能である。
【０１０１】
＜第４実施の形態＞
図８（Ａ）〜図８（Ｃ）を参照して、本発明の第４の実施形態である固定具６０について述べる。図８（Ａ）は、固定具６０の正面図である。図８（Ｂ）は、ＭＲ装置７０のヘッドコイル７１に固定された固定具６０を側面から示す図である。図８（Ｃ）は、図８（Ｂ）のＣ視断面図である。
図８（Ａ）では、説明のために部分的に膨張体６２の断面を示す。また、図８（Ａ）〜図８（Ｃ）には、固定具６０の位置関係を明確にするために対応するＸ、Ｙ、Ｚ方向を示す。以下、図８（Ａ）〜図８（Ｃ）における紙面上下方向を固定具６０の上下方向として説明する。
【０１０２】
図８（Ａ）のとおり、固定具６０は、フレーム６１、膨張体６２、フレーム６１をＭＲ装置７０のヘッドコイル７１に取り付けるための取付部６３を有する。取付部６３は、フレーム６１の位置調整手段及び流体供給部８０を備える。
【０１０３】
（フレーム６１）
フレーム６１は、略矩形の板状部材であり、配置される頭部の額部の形状に合わせて、長辺方向に丸みを帯びた形状となっている。平面形状は、外周部材６１ａ及び外周部材６１ａを繋ぐ中間部材６１ｂにより形成され、長辺方向に並んだ複数の開口部を有している。
フレーム６１の材料には、例えば合成樹脂を用いることができる。
【０１０４】
（膨張体６２）
膨張体６２は、フレーム６１と同様の形状をした板状部材である。すなわち、略矩形の平面形状を有し、配置される頭部の額部の形状に合わせて、長辺方向に丸みを帯びた形状となっている。平面形状は、フレーム６１と同様に、外周部材及び外周部材を繋ぐ中間部材により形成され、長辺方向に並んだ複数の開口部を有している。
膨張体６２は、内部に空気が供給される流体供給空間として一体の中空部６４を有している。膨張体６２の上面の中央には、中空部６４に空気を供給するための供給口（図示省略）が設けられる。膨張体６２の中空部６４は、供給口以外の箇所は密閉されている。
【０１０５】
膨張体６２は、下面に第１突出部２２を有している。第１突出部２２は、膨張体６２が膨張することで頭部が配置される側（下側）に突き出て、頭部と確実に接触する部分である。そのため、頭部を固定するために効果的な箇所、例えばこめかみ付近に配置されるようにして、膨張体６２に設けられる。
【０１０６】
膨張体６２の材料は、塩化ビニル樹脂などの高分子材料を用いることができるが、好ましくは本発明の第１実施の形態の固定具１０と同様に、ゴムのように伸縮性を有する材料であり、さらに好ましくは、シリコンゴムである。
【０１０７】
膨張体６２は、平面形状を合わせてフレーム６１の下面に取り付けられる。これにより、固定具６０は複数の開口部６５を有する。
【０１０８】
（取付部６３）
取付部６３は、固定具６０をヘッドコイル７１に固定するとともに、フレーム６１の位置を上下方向に調整する位置調整手段及び流体供給部８０を備える。
図８（Ｃ）を参照して、取付部６３について述べる。
取付部６３は、摺動部材６６、位置調整ダイヤル６７、固定部材６８及び流体供給部８０を有する。
【０１０９】
摺動部材６６について説明する。
摺動部材６６は、上下方向に向けて配置された管状の部材であり、長手方向の軸心Ｘ２を中心軸とする。内部には一体の中空部６６ａが形成される。中空部６６ａは、上下端のみに開口部を有する。
摺動部材６６の上端は、位置調整ダイヤル６７の上部に収容される流体供給部８０の配管８２と回転可能に結合される。これについては、後述する。
摺動部材６６の下端は、ヘッドコイル７１の内部において、フレーム６１を通って膨張体６２の供給口（図示省略）と結合される（図８（Ｂ）参照）。摺動部材６６と膨張体６２の供給口との結合部分は、それぞれの内部空間を連続させ、密閉して結合される。
【０１１０】
摺動部材６６は、上端から中間部にかけて、軸心Ｘ２を中心軸とする円筒外面にネジが形成されたオネジ部６６ｂを有する。
また、摺動部材６６は、オネジ部６６ｂの下部における表面に、上下方向に溝が形成されたガイド溝６６ｃが形成される。
【０１１１】
位置調整ダイヤル６７について説明する。
位置調整ダイヤル６７は、内部に空間６７ａを有し、空間６７ａに下端から孔が連結する。この孔には、軸心Ｙ２を中心軸とする円筒内面にネジが形成されて、メネジ部６７ｂが設けられる。メネジ部６７ｂは、摺動部材６６が挿入されて、摺動部材６６のオネジ部６６ｂと嵌合する。この時、摺動部材６６の軸心Ｘ２と位置調整ダイヤル６７の軸心Ｙ２とは、一致する。
【０１１２】
位置調整ダイヤル６７の側面には、後述する固定部材６８の係合部６８ａが係合する被係合部６７ｃが設けられる。被係合部６７ｃは、軸心Ｙ２を中心軸とする円筒外面を底面とする溝である。
【０１１３】
位置調整ダイヤル６７の上部には、凹部６７ｄが形成される。凹部６７ｄは、底面に内部の空間６７ａと連結する孔が形成される。凹部６７ｄには、後述する流体供給部８０が配置される。
【０１１４】
固定部材６８について説明する。
固定部材６８は、図８（Ｂ）に示すように、ヘッドコイル７１の上面外側に接して配置され、一端がヘッドコイル７１の内部に挿入され、この端部に固定具６９が取り付けられることで、ヘッドコイル７１に固定される。
図８（Ｃ）に示すように、ヘッドコイル７１の他端には、係合部６８ａが設けられる。係合部６８ａは、位置調整ダイヤル６７の被係合部６７ｃに挿入されて、被係合部６７ｃと係合する。係合部６８ａと被係合部６７ｃとは、係合した状態で間隙を有する大きさに形成されることで、位置調整ダイヤル６７は、固定部材６８に対して軸心Ｙ２を回転軸として回転可能に取り付けられる。
【０１１５】
固定部材６８は、摺動部材６６のガイド溝６６ｃに挿入されるガイド部６８ｂを有する。ガイド部６８ｂは、側面６８ｃ及び底面６８ｄによって内部に空間６８ｅを形成し、ヘッドコイル７１上面から、開口部を通って摺動部材６６のガイド溝６６ｃの位置までヘッドコイル７１の内部に突出する。底面６８ｄには孔６８ｆが形成され、摺動部材６６は、空間６８ｅを通って孔６８ｆを貫通する。そして、孔６８ｆの内周面に設けられた突起６８ｇが、摺動部材６６のガイド溝６６ｃに挿入される。この時、突起６８ｇと摺動部材６６のガイド溝６６ｃとの間に間隙が形成されることで、摺動部材６６は上下方向に摺動可能になっている。
一方、ガイド溝６６ｃにガイド部６８ｂの突起６８ｇが挿入されることによって、摺動部材６６は、軸心Ｘ２を回転軸とする回転が制限される。
以上の構成により、固定具６０は、取付部６３によりヘッドコイル７１に取り付けられる。
【０１１６】
上述したフレーム６１の位置調整手段における各部材の作動について説明する。
摺動部材６６は、ガイド部６８によって軸心Ｘ２に対する回転が制限されている。また、位置調整ダイヤル６７は、固定部材６８によって軸心Ｙ２方向への移動が制限されている。なお、上述したとおり、摺動部材６６の軸心Ｘ２と位置調整ダイヤル６７の軸心Ｙ２とは、一致している。また、摺動部材６６と流体供給部８０の配管８２とは、回転可能に結合されている。
そのため、位置調整ダイヤル６７を回すことで、摺動部材６６は、オネジ部６６ｂとメネジ部６７ｂとの嵌合により、軸心Ｘ２方向へ移動する。これによって、摺動部材６６の移動に連動して、フレーム６１が上下方向に移動する。
【０１１７】
（流体供給部８０）
流体供給部８０は、図８（Ｃ）に示すとおり、ポンプ８１と配管８２とを有する。ポンプ８１は、例えば手動ポンプであり、中空部８１ａと、中空部８１ａと外部とを結ぶ吸入口８１ｂ及び吐出口８１ｃを有する。吸入口８１ｂには、外部から中空部８１ａにのみ空気が流れる弁（図示省略）が設けられる。吐出口８１ｃには、中空部８１ａから外部にのみ空気が流れる弁（図示省略）が設けられる。ポンプ８１は、例えば合成樹脂により、中空部８１ａの大きさを変更可能にして一体で成形される。
【０１１８】
配管８２は、ポンプ８１の吐出口８１ｃと摺動部材６６の上端とを、これらの内部空間を密閉して結合する。ここで、摺動部材６６と位置調整ダイヤル６７とは、相対的に回転するため、流体供給部８０では、配管８２の少なくとも一端が接続部品を用いることなどにより回転可能に接続され、又はポンプ８１が位置調整ダイヤル６７に対して回転可能になっている。
【０１１９】
図８〜図１０を参照して、本発明の第４実施の形態である固定具６０の使用について述べる。図９は、被検者の頭部が固定具６０でヘッドコイル７１の内部に固定された状態を示す図である。図１０は、第４実施の形態である固定具６０の使用の流れを示すフローチャートである。図９には、図８（Ａ）〜図８（Ｃ）と対応するＸ、Ｙ、Ｚ方向を示す。なお、図９では、説明のために上側コイル７１ａが透視して示されている。
【０１２０】
図９では、ＭＲ装置７０は、上下分割型のヘッドコイル７１を有し、上側コイル７１ａには、取付部６３により固定具６０が取り付けられる。下側コイル７１ｂには、頭部が載置される。
上側コイル７１ａと下側コイル７１ｂとは、２箇所のヒンジ部７１ｃで結合される。下側コイル７１ｂは、ＭＲ装置７０に固定されており、ヒンジ部７１ｃにより、上側コイル７１ａが下側コイル７１ｂに対して開閉可能となっている。下側コイル７１ｂは、上側コイル７１ａを開けた状態で、頭部が載置できるようになっている。
【０１２１】
固定具６０は、上側コイル７１ａに取り付けられる。取り付けについては、図８（Ａ）〜図８（Ｃ）で述べたとおりであるため、説明を省略する。
【０１２２】
図１０のフローチャートに沿って、図８（Ａ）〜図８（Ｃ）及び図９を参照しながら固定具６０の使用の流れを説明する。
（ステップＳ３１）
ポンプ２４から膨張体６２に空気が供給されていない状態で、上述したように位置調整ダイヤル６７を操作し、頭部が膨張体６２の下部に配置可能な位置にフレーム６１の位置を調整する。
【０１２３】
（ステップＳ３２）
上側コイル７１ａを開けた状態で被検者がＭＲ装置７０に横たわり、下側コイル７１ｂに頭部を載置する。上側コイル７１ａを閉じて、上側コイル７１ａを下側コイル７１ｂにロックすることで、図９のとおり、頭部をヘッドコイル７１に収容する。これにより、頭部は、ヘッドコイル７１の収容空間に収容される。
【０１２４】
（ステップＳ３３）
位置調整ダイヤル６７の操作により、膨張体６２が頭部に接触する位置にフレーム６１を調整して、固定具６０を頭部に装着する。
【０１２５】
（ステップＳ３４）
流体供給部８０のポンプ８１を作動させ、膨張体６２の中空部６４に空気を供給して膨張体６２を膨張させる。これにより、膨張体６２は、頭部及びフレーム６１を押圧する。換言すれば、膨張体６２は、ヘッドコイル７１の収容空間に頭部を押圧する。これにより、頭部を膨張体６２と下側コイル７１ｂとの間に挟むことで、確実に固定する。
【０１２６】
（ステップＳ３５）
ＭＲ装置７０で頭部の画像を撮影する。頭部は、固定具６０で下側コイル７１ｂに確実に固定されているため、ＭＲ装置７０で頭部の鮮明な画像を得ることができる。
【０１２７】
以上、本発明の第４実施の形態である固定具６０の構成及び使用について説明したが、特に、固定具６０では、膨張体６２が第１突出部２２を有しており、第１突出部２２は、流体供給部１２から空気が中空部６４へ供給されて膨張体６２が膨張することで、頭部側へ突き出るため、頭部と確実に接触する。これにより、頭部を第１突出部２２で確実に固定することができる。そのため、第１突出部２２を、例えばこめかみ付近のように頭部を固定するために効果的な箇所に設けることで、より確実に頭部を固定することができる。
【０１２８】
固定具６０では、頭部の上部に膨張体６２が配置され、他の部分には膨張体６２が配置されていない。膨張体６２が配置された部分は、膨張体６２の中空部６４の大きさが、頭部から離れる方向において第１の大きさである、第１の部分である。一方、膨張体６２が配置されていない部分は、膨張体６２の中空部６４の大きさが、頭部から離れる方向において０であり、第１の部分の大きさより小さい第２の部分である。固定具６０では、この第２の部分は頭部の重心下部に配置されているということができる。
【０１２９】
換言すれば、固定具６０は、頭部をヘッドコイル７１の収容空間に収容した際に、中空部６４が膨張する膨張量が、この収容空間の周囲へ向かう方向において、上記第１の部分の膨張量より小さい第２の部分を有し、この第２の部分は頭部の重心下部に配置されている。
【０１３０】
これにより、固定具６０では、膨張体６２の膨張による頭部の上方への移動がないため、膨張体６２の膨張により撮影箇所がずれることを防止することができる。
【０１３１】
また、膨張体６２が開口部６５を有することにより、膨張体６２の中空部６４が小さくなるため、膨張体６２を膨らませる時にポンプ８１から供給が必要な空気量が少なくなる。これにより、下側コイル７１ｂへ頭部を迅速に固定することができる。また、膨張体６２の膨張に必要な空気量が少なくなることで、ポンプ８１を小型にすることが可能である。さらに、開口部６５により、膨張体６２を装着することによる発汗やムレなどによる不快感を軽減するこができる。
【０１３２】
なお、固定具６０では、膨張体６２と取付部６３の摺動部材６６とは、着脱可能とされることが好ましい。これによれば、膨張体６２の交換、清掃などを容易にすることができる。着脱可能な構造としては、嵌合、ネジ止めなどである。
【０１３３】
上述した本発明の実施の形態では、膨張体に供給される流体は上述した空気に限定されない。しかし、膨張体に供給される流体としては、取り扱いの容易さから気体が好ましく、更に好ましくは経済性の観点から空気である。
流体供給部のポンプについても、例示した手動ポンプに限定されず、電動ポンプ等を用いることも可能である。
【０１３４】
また、撮影部位を人体の頭部として説明したが、本発明の固定具によればこれに限らず、動物などの生体又は物品のような被検体の撮影部位であっても収容部に固定可能である。ただし、本発明の固定具によれば、撮影部位を確実に固定することができるため、構造が複雑で鮮明な画像が要求される頭部に用いることで、大きな効果を得ることができる。
【０１３５】
なお、本発明の固定具は、本発明の実施の形態におけるＭＲ装置での使用に限定されず、ＣＴ装置や物品を検査するために画像を撮影する装置などの他の画像撮影装置についても、同様に使用が可能である。
【図面の簡単な説明】
【０１３６】
【図１】図１（Ａ）、（Ｂ）は、本発明の第１実施の形態である固定具を図解する図である。
【図２】図２は、本発明の第１実施の形態である固定具の使用状況を図解する図である。
【図３】図３は、本発明の第１実施の形態である固定具の使用の流れを示すフローチャートである。
【図４】図４（Ａ）、（Ｂ）は、本発明の第２実施の形態である固定具を図解する図である。
【図５（Ａ）】図５（Ａ）は、本発明の第３実施の形態である固定具の正面図である。
【図５（Ｂ）】図５（Ｂ）は、本発明の第３実施の形態である固定具の側面図である。
【図５（Ｃ）】図５（Ｃ）は、図５（Ａ）のＢ視断面図である。
【図６】図６は、本発明の第３実施の形態である固定具の使用状況を図解する図である。
【図７】図７は、本発明の第３実施の形態である固定具の使用の流れを示すフローチャートである。
【図８（Ａ）】図８（Ａ）は、本発明の第４実施の形態である固定具の正面図である。
【図８（Ｂ）】図８（Ｂ）は、本発明の第４実施の形態である固定具の側面図である。
【図８（Ｃ）】図８（Ｃ）は、図８（Ｂ）のＣ視断面図である。
【図９】図９は、本発明の第４実施の形態である固定具の使用状況を図解する図である。
【図１０】図１０は、本発明の第４実施の形態である固定具の使用の流れを示すフローチャートである。
【符号の説明】
【０１３７】
１０…固定具、１１…膨張体、１２…流体供給部、１９…第２突出部
２１…小幅部、２２…第１突出部、２３…開口部
３０…ＭＲ装置、３１…ヘッドコイル、３２…ヘッドレスト
４０…固定具、４１…フレーム、４２…膨張体
５０…固定具、５１ａ〜５１ｃ…フレーム、５２…膨張体、５３…取付部
５５…位置調整ダイヤル
６０…固定具、６１…フレーム、６２…膨張体、６３…取付部
６８…位置調整ダイヤル
７０…ＭＲ装置、７１…ヘッドコイル
８０…流体供給部
【図１】
2008253678.tif 000003
【図３】
2008253678.tif 000004
【図５（Ｃ）】
2008253678.tif 000005
【図７】
2008253678.tif 000006
【図８（Ｃ）】
2008253678.tif 000007
【図１０】
2008253678.tif 000008
【図２】
2008253678.tif 000009
【図４】
2008253678.tif 000010
【図５（Ａ）】
2008253678.tif 000011
【図５（Ｂ）】
2008253678.tif 000012
【図６】
2008253678.tif 000013
【図８（Ａ）】
2008253678.tif 000014
【図８（Ｂ）】
2008253678.tif 000015
【図９】
2008253678.tif 000016